(57)【要約】【課題】  高さ調節が可能であって、自重を利用して上昇及び下降が円滑に行われる洗面台を提供する。【解決手段】  本発明による洗面台は、洗面台本体下に設置されたシリンダー、洗面台本体に設置された水圧作動式バルブ、水圧作動式バルブに連結されて、流入水が通過する給水ライン、水圧作動式バルブに連結されて、流出水が通過する排水ライン、及び一端は水圧作動式バルブに連結され、他端はシリンダーに連結されて、シリンダーを作動させる作動水が通過する一つの作動ラインを含む。ここで、水圧作動式バルブは、給水ライン、排水ライン、及び作動ラインが各々外部に連結された中空型調整筒、及び中空型調整筒の内部に合体するように組立てられて、回転によって各ラインと連通するように外側表面に開口部が形成された回転式バルブスプールを含む。【選択図】図１
2006181336.tif 000002
【特許請求の範囲】
【請求項１】
洗面台本体下に設置されたシリンダー、
前記洗面台本体に設置された水圧作動式バルブ、
前記水圧作動式バルブに連結されて、流入水が通過する給水ライン、
前記水圧作動式バルブに連結されて、流出水が通過する排水ライン、及び
一端は前記水圧作動式バルブに連結され、他端は前記シリンダーに連結されて、前記シリンダーを作動させる作動水が通過する一つの作動ラインを含む洗面台であって、
前記水圧作動式バルブは、
前記給水ライン、前記排水ライン、及び前記作動ラインが各々外部に連結された中空型調整筒、及び
前記中空型調整筒の内部に合体するように組立てられて、回転によって前記各ラインと連通するように外側表面に開口部が形成された回転式バルブスプールを含む、洗面台。
【請求項２】
前記回転式バルブスプールの外側表面に２つの開口部が形成され、前記開口部は前記回転式バルブスプールの内部を通じて連通する、請求項１に記載の洗面台。
【請求項３】
前記給水ライン、前記排水ライン、及び前記作動ラインは、前記中空型調整筒の側面に互いに角度をなして連結される、請求項２に記載の洗面台。
【請求項４】
前記洗面台が上昇する場合、前記給水ライン及び前記作動ラインが前記回転式バルブスプールに形成された各々の開口部と連通する、請求項３に記載の洗面台。
【請求項５】
前記洗面台が下降する場合、前記排水ライン及び前記作動ラインが前記回転式バルブスプールに形成された各々の開口部と連通する、請求項３に記載の洗面台。
【請求項６】
前記作動ラインは、前記給水ライン及び前記排水ラインの間に位置する、請求項３に記載の洗面台。
【請求項７】
前記洗面台が停止する場合、前記回転式バルブスプールに形成された開口部と前記給水ライン、前記排水ライン、及び前記作動ラインとの連通が遮断される、請求項６に記載の洗面台。
【請求項８】
前記給水ライン及び前記排水ラインのうちのいずれか一つのラインが前記作動ラインとなす角は、前記回転式バルブスプールに形成された２つの開口部がなす角と実質的に同一である、請求項６に記載の洗面台。
【請求項９】
前記回転式バルブスプールに形成された２つの開口部がなす角は、実質的に直角である、請求項８に記載の洗面台。
【請求項１０】
前記シリンダー内に一つの可変型密閉空間を形成しながら前記シリンダーから地面にのびて連結固定されたピストンをさらに含む、請求項１に記載の洗面台。
【請求項１１】
前記水圧作動式バルブは、前記回転式バルブスプールと連結されたボタン（button）をさらに含み、前記ボタンを押して前記回転式バルブスプールの回転を制御する、請求項１に記載の洗面台。
【請求項１２】
前記シリンダーがのびた方向と平行な方向に前記洗面台本体の下部に配置されて前記洗面台本体の移動を支持する可変型ブラケットをさらに含む、請求項１に記載の洗面台。
【請求項１３】
前記可変型ブラケットは、
前記洗面台本体の下部に固定されて、前記洗面台本体を支持する受け台、
前記受け台に連結されて、上下に移動可能な移動台、及び
前記移動台に結合され、前記移動台を上下に移動させて、前記移動台との間にベアリングを設置して前記移動台の移動を円滑にする支持台を含む、請求項１２に記載の洗面台。
【請求項１４】
前記ベアリングはボールベアリングである、請求項１３に記載の洗面台。
【請求項１５】
前記可変型ブラケットは、前記シリンダーの下部に固定されて、前記シリンダーを支持するように前記移動台と連結されたシリンダー支持台をさらに含む、請求項１３に記載の洗面台。
【発明の詳細な説明】
【技術分野】
【０００１】
本発明は、高さ調節が可能な洗面台に関し、より詳しくは、自重を利用して構造を単純化した、高さ調節が可能な洗面台に関する。
【背景技術】
【０００２】
一般家庭の洗面所及び公衆便所などには、洗面などの用途で水道水を使用するための予め設定された高さの洗面台が普遍的に設置されている。
【０００３】
このような洗面台は、一般的な成人を基準にして設定された高さで壁面に固定設置されるため、その設置された高さに比べて背が高い人や低い人、特に子供は、このような一般的な成人を基準にした高さの洗面台を使用することができないという問題点がある。このような問題点を解決するために、洗面台の底部に油圧または水圧で作動するシリンダーを設置して、高さを調節することができるようにした洗面台が開発された。
【０００４】
このように油圧または水圧で作動するシリンダーを利用した洗面台の場合、シリンダーを上部及び下部に分け、その各々に配管を連結して、水圧作動式バルブの調節によって洗面台を上昇及び下降させる。
【発明の開示】
【発明が解決しようとする課題】
【０００５】
しかし、このような方法で洗面台を上昇及び下降させる場合、洗面台の配管構造が複雑になって修理が難しいという問題点がある。また、このように洗面台を上昇及び下降させるために水圧作動式バルブの構造を複雑にしなければならないので、水圧作動式バルブの加工作業が複雑になって製造費用が増加するという問題点がある。
【０００６】
本発明は、前述した問題点を解決するためのものであって、高さ調節が可能であって、自重を利用して上昇及び下降が円滑に行われる洗面台を提供する。
【課題を解決するための手段】
【０００７】
前述した課題を達成するための本発明による洗面台は、洗面台本体下に設置されたシリンダー、洗面台本体に設置された水圧作動式バルブ、水圧作動式バルブに連結されて、流入水が通過する給水ライン、水圧作動式バルブに連結されて、流出水が通過する排水ライン、及び一端は水圧作動式バルブに連結され、他端はシリンダーに連結されて、シリンダーを作動させる作動水が通過する一つの作動ラインを含む。ここで、水圧作動式バルブは、給水ライン、排水ライン、及び作動ラインが各々外部に連結された中空型調整筒、及び中空型調整筒の内部に合体するように組立てられて、回転によって各ラインと連通するように外側表面に開口部が形成された回転式バルブスプールを含む。
【０００８】
回転式バルブスプールの外側表面に２つの開口部が形成され、開口部は回転式バルブスプールの内部を通じて連通するのが好ましい。
【０００９】
給水ライン、排水ライン、及び作動ラインは、中空型調整筒の側面に互いに角度をなして連結されるのが好ましい。
【００１０】
洗面台が上昇する場合、給水ライン及び作動ラインが回転式バルブスプールに形成された各々の開口部と連通することができる。
【００１１】
洗面台が下降する場合、排水ライン及び作動ラインが回転式バルブスプールに形成された各々の開口部と連通することができる。
【００１２】
作動ラインは、給水ライン及び排水ラインの間に位置するのが好ましい。
【００１３】
洗面台が停止する場合、回転式バルブスプールに形成された開口部と給水ライン、排水ライン、及び作動ラインとの連通が遮断されることができる。
【００１４】
給水ライン及び排水ラインのうちのいずれか一つのラインが作動ラインとなす角は、回転式バルブスプールに形成された２つの開口部がなす角と実質的に同一であるのが好ましい。
【００１５】
回転式バルブスプールに形成された２つの開口部がなす角は、実質的に直角であるのが好ましい。
【００１６】
本発明による洗面台は、シリンダー内に一つの可変型密閉空間を形成しながらシリンダーから地面にのびて連結固定されたピストンをさらに含むのが好ましい。
【００１７】
水圧作動式バルブは、回転式バルブスプールと連結されたボタンをさらに含み、ボタンを押して回転式バルブスプールの回転を制御するのが好ましい。
【００１８】
発明による洗面台は、シリンダーがのびた方向と平行な方向に洗面台本体の下部に配置されて洗面台本体の移動を支持する可変型ブラケットをさらに含むことができる。
【００１９】
ここで、可変型ブラケットは、洗面台本体の下部に固定されて、洗面台本体を支持する受け台、受け台に連結されて、上下に移動可能な移動台、そして移動台に結合され、移動台を上下に移動させて、移動台との間にベアリングを設置して移動台の移動を円滑にする支持台を含むのが好ましい。
【００２０】
ここで、ベアリングはボールベアリングであるのが好ましい。
【００２１】
可変型ブラケットは、シリンダーの下部に固定されて、シリンダーを支持するように移動台と連結されたシリンダー支持台をさらに含むのが好ましい。
【発明の効果】
【００２２】
本発明による洗面台における水圧作動式バルブは、中空型調整筒及び回転式バルブスプールを備えるので、これらの相互作用によって洗面台を円滑に上昇及び下降させることができる。
【００２３】
回転式バルブスプールの外側表面に形成された開口部が内部を通じて連通するので、水が回転式バルブスプールを通じて円滑に疎通される。
【００２４】
給水ライン、排水ライン、作動ラインが中空型調整筒の側面に互いに角度をなして連結されるので、水圧作動式バルブの操作による洗面台の上昇、下降、及び停止が正確に行われる。
【００２５】
作動ラインが給水ライン及び排水ラインの間に位置して中空型調整筒と連結されるので、洗面台の上昇及び下降に適している。
【００２６】
給水ライン及び排水ラインのうちのいずれか一つのラインが作動ラインとなす角が回転式バルブスプールに形成された２つの開口部がなす角と実質的に同一であるので、中空型調整筒及び回転式バルブスプール間の連通が効率的に行われ、洗面台の上昇及び下降が円滑に行われる。
【００２７】
回転式バルブスプールにボタンが連結されているので、ボタンの操作を通じて回転式バルブスプールをさらに容易に操作することができる。
【００２８】
洗面台本体の移動を支持する可変型ブラケットが移動台の移動を円滑にするためにベアリングを含むので、洗面台が洗面台本体の自重によって下降する時にも下降が円滑に行われる。
【発明を実施するための最良の形態】
【００２９】
以下、図１乃至図６を参照して本発明の実施例を説明する。このような実施例は、単に本発明を例示するためのものであり、本発明がこれに限られるわけではない。
【００３０】
図１は本発明の一実施例による洗面台１００の側面図であって、壁面に隣接して固定された洗面台１００を示す。このような洗面台の構造は、単に本発明を例示するためのものであり、本発明がこれに限られるわけではない。したがって、本発明の洗面台は他の構造に変形することもできる。
【００３１】
図１に示したように、洗面台１００は、上水道管８２に連結された給水管（図示せず）を通じて洗面台本体１０に設置された給水バルブ８０に水を供給し、排水トラップ８４を通じて使用した水を排水する。
【００３２】
洗面台本体１０には、洗面台の高さを調節することができるように水圧作動式バルブ３０が設置されている。流入水が通過する給水ライン６２及び流出水が通過する排水ライン６４は、水圧作動式バルブ３０の下部に各々連結されている。また、シリンダー９０を作動させる作動水が通過する一つの作動ライン６６は、その一端が水圧作動式バルブ３０に連結され、他端はシリンダー９０に連結されている。本発明では、このように一つの作動ライン６６だけを使用して洗面台１００を上昇及び下降させるので、その構造が非常に単純化されて使用される部品数も減少する。
【００３３】
給水ライン６２、排水ライン６４、作動ライン６６は可撓性部材からなるので、洗面台１００の高さ変化によってその長さが柔軟に伸縮調節され、水を円滑に疎通させることができる。
【００３４】
洗面台本体１０下に設置されたシリンダー９０は、一つの可変型密閉空間を形成する。一つの作動ライン６６のみを使用するので、シリンダー９０の可変型密閉空間も一つで充分である。このような一つの可変型密閉空間は、シリンダー９０から地面にのびて連結固定されたピストン９４によって形成され、ピストン９４の上部に位置する。
【００３５】
洗面台本体１０下に設置されたシリンダー９０は、上部に流入したり流出される作動水路よってその体積が変わり、ピストン９４は地面に固定されているので、水圧作動式バルブ３０の操作によって洗面台本体１０が上下に円滑に移動する。
【００３６】
このような洗面台本体１０の上下の移動を支持するために、可変型ブラケット２０がシリンダー９０がのびた方向に平行な方向に洗面台本体１０の下部に配置されて、洗面台本体１０の移動を支持する。このために、可変型ブラケット２０は、受け台２２、移動台２５、支持台２４、及びシリンダー支持台２１などを含む。可変型ブラケット２０は、壁面に付着された固定台２６に堅固に固定される。以下、図２を参照して、可変型ブラケット２０の構造についてより詳細に説明する。
【００３７】
図２は本発明の一実施例による可変型ブラケット２０の斜視図であって、上下に高さが調節される洗面台本体１０の移動を支持する可変型ブラケット２０の形態を概略的に示した図面である。
【００３８】
図２に示したように、可変型ブラケット２０は、受け台２２、移動台２５、支持台２４、及びシリンダー支持台２１を含む。受け台２２は、洗面台本体１０（図１に図示、以下同一）の下部に付着されて、洗面台本体１０を支持する。受け台２２が連結付着された移動台２５は、矢印方向に示したように上下に移動可能である。受け台２２は、移動台２５に堅固に連結されているので、移動台２５の上下の移動に関係なく、洗面台本体１０を堅固に支持する。これにより、移動台２５が上下に移動する時に洗面台本体１０も共に移動する。
【００３９】
移動台２５で囲まれた支持台２４は、移動台２５が上下方向に円滑に移動することができるように、移動台２５と結合されて固定支持される。これにより、移動台２５は、支持台２４に沿って上下方向に持続的に移動可能である。
【００４０】
図２の拡大円には、移動台２５と対向する表面にベアリング２４５を設置した支持台２４及びこれにより移動が円滑になる移動台２５の断面構造を示している。図２の拡大円に示したように、ベアリング２４５が支持台２４及び移動台２５の間に設置されて、移動台２５がスムーズに移動することができるようにする。このために、ベアリング２４５は、ベアリング固定用ハウジング２４１に固定される。ベアリング２４５が支持台２４及び移動台２５の両方に密着されるので、移動台２５がベアリング２４５を通過しながらスムーズに移動することができる。ここで、ベアリング２４５としてはボールベアリングを使用することができる。
【００４１】
シリンダー支持台２１は、シリンダー９０（図１に図示、以下同一）の下部に固定され、シリンダー９０を支持するように移動台２４に連結固定される。これにより、移動台２４を安定的に支持することができ、洗面台１００（図１に図示）の上下の移動が円滑になる。
【００４２】
図３は本発明の一実施例による洗面台の水圧作動式バルブ３０の断面図であって、水圧作動式バルブ３０の内部断面を示す。図３には示さなかったが、水圧作動式バルブ３０の各部品間にパッキングを挿入して、各部品間の密着をさらに向上させることもできる。
【００４３】
図３に示した水圧作動式バルブ３０は、下部に３つの連結孔３５０１が形成されたバルブ本体３５０、バルブ本体３５０内に位置して、中空型調整筒３００を固定支持するシート３６０、シート３６０上に位置して固定されて、連結孔３５０１を通じて給水ライン、排水ライン、及び作動ラインが外部に連結された中空型調整筒３００、中空型調整筒３００の内部に合体するように組立てられて、回転によって各ラインと連通するように外側表面に開口部３１０１が形成された回転式バルブスプール３１０、回転式バルブスプール３１０の真上に位置して、回転式バルブスプール３１０の突出部３１０３に結合される回転式バルブレバー３２０、回転式バルブレバー３２０を覆うように結合されて、内側周縁に沿って予め設定された間隔で離隔した一対の係止突起３３０１を備えたハウジング３３０、そして回転式バルブレバー３２０と結合されて、これを回転させるバルブ取っ手３４０を含む。回転式バルブレバー３２０は、弾性部材３２０３であるスプリングに固定されるピン３２０１を備え、ピン３２０１は、回転式バルブレバー３２０の中心で放射状に設置されている。
【００４４】
水圧作動式バルブ３０の上部は、下部カバー３９０、中間カバー３８０、及び上部カバー３７０で順に囲まれている。ナット３８５に中間カバー３８０及び下部カバー３９０を連結するが、両者間にスペーサ３８１を嵌合して、その両端にワッシャ３８３を挿入する。
【００４５】
図３には連結孔３５０１を２つだけ示したが、実際には３つの連結孔３５０１が形成されている。３つの連結孔３５０１の一端は各々給水ライン、排水ライン、及び作動ラインと連結され、他端は中空型調整筒３００に連結される。給水ライン、排水ライン、及び作動ラインは、中空型調整筒３００の側面に互いに角度をなして連結されるので、回転式バルブスプール３１０の回転による開口部３１０１の位置変化により、水の疎通を停止したり水の疎通する方向を変更することができる。水の疎通を通じて洗面台を上昇及び下降させることができるように、作動ラインを給水ライン及び排水ラインの間に位置させながら中空型調整筒３００と連結するのが好ましい。水の円滑な疎通のために、回転式バルブスプール３１０の外側表面には２つの開口部３１０１を形成する。開口部３１０１は回転式バルブスプール３１０の内部を通じて連通する。
【００４６】
中空型調整筒３００及び回転式バルブスプール３１０は、セラミック素材からなるので、両者間の摩擦による摩耗を最少化することができる。このような摩擦は、中空型調整筒３００及び回転式バルブスプール３１０の間にグリースを塗布してさらに最少化することができ、グリースの塗布によって両者間の密着効果をさらに増加させることができる。これにより、バルブ取っ手３４０の操作によって回転式バルブスプール３１０が回転する時に、漏水なく所望の方向に水を通過させて洗面台の高さを円滑に調節することができる。
【００４７】
図３には示さなかったが、水圧作動式バルブ３０は、回転式バルブスプール３１０と連結されたボタン（button）をさらに含むことができる。ボタンは、洗面台本体上に設置され、このボタンを押すたびに回転式バルブスプール３１０の回転を制御するようにすることができる。このようなボタンの操作によって回転式バルブスプール３１０の操作がさらに容易に行われる。
【００４８】
以下、図４乃至図６を参照して、水圧作動式バルブの操作による洗面台の高さ調節過程についてより詳細に説明する。図４乃至図６では、水圧作動式バルブと連結された各ラインを示すために、便宜上、可変型ブラケットを省略した。
【００４９】
図４乃至図６は本発明の一実施例による洗面台の作動状態を示す概略的な図面であって、図４には洗面台１００が停止した状態を示し、図５には洗面台１００が上昇する状態を示し、図６には洗面台１００が下降する状態を示す。洗面台１００の移動による水圧作動式バルブ３０の操作状態を説明するために、図４乃至図６の左側に水圧作動式バルブ３０の内部部品のうちの回転式バルブスプール３１０及び中空型調整筒３００を拡大して示した。
【００５０】
図４に示したように、水圧作動式バルブ３０の回転によって回転式バルブスプール３１０が回転するが、この場合、回転式バルブスプール３１０に形成された開口部３１０１の位置が変わる。回転式バルブスプール３１０に形成された２つの開口部３１０１がなす角（α）は、給水ライン６２及び排水ライン６４のうちのいずれか一つのラインが作動ライン６６となす角（α）と実質的に同一である。これにより、２つの開口部３１０１は給水ライン６２及び作動ライン６６と同時に連通したり排水ライン６４及び作動ライン６６と同時に連通する。ここで、２つの開口部３１０１がなす角（α）は、実質的に直角であるのが好ましい。この場合に、回転式バルブスプール３１０の回転によって水を円滑に疎通させることができる。
【００５１】
図４には、回転式バルブスプール３１０及び中空型調整筒３００の相対的な位置関係によって水圧作動式バルブ３０で水の疎通が遮断された状態を示す。これにより、洗面台１００の上昇及び下降が停止する。つまり、洗面台１００が停止する場合、回転式バルブスプール３１０に形成された開口部３１０１は、給水ライン６２、作動ライン６６、及び排水ライン６４との連通が遮断されて、中空型調整筒３００の内壁に隣接する。この時、開口部３１０１は、給水ライン６２、作動ライン６６、及び排水ライン６４の間に位置するので、水の疎通が遮断される。給水管に連結された給水ライン６４及びシリンダー９０に連結された作動ライン６６は水が満たされているので矢印に示したように水圧が作用するが、回転式バルブスプール３１０によって水の疎通が遮断されるので、洗面台１００は停止した状態に維持される。
【００５２】
図５には、回転式バルブスプール３１０及び中空型調整通３００の相対的な位置関係によって水の疎通が行われて洗面台１００が上昇する状態を示す。水圧作動式バルブ３０を回転させて回転式バルブスプール３１０を矢印に示したように時計回りに回転させる場合、開口部３１０１が回転して給水ライン６２及び作動ライン６６と連通する。この場合に、給水管に連結された給水ライン６２の水圧が作動ライン６６に連結されたシリンダー９０の水圧より大きいので、水は矢印に示したように給水ライン６２から作動ライン６６側に流入する。これにより、作動ライン６６と連結されたシリンダー９０内の水量が増加するが、シリンダー９０の内部がピストン９４によって密閉されるので、シリンダー９０が上昇し、これにより洗面台本体１０も共に上昇する。このような方法で水圧作動式バルブ３０を操作して洗面台１００を上昇させる。上昇を停止させようとする場合には、水圧作動式バルブ３０を少しだけ回転させればよい。
【００５３】
図６には、図５とは反対に、回転式バルブスプール３１０及び中空型調整筒３００の相対的な位置関係によって水の疎通が行われて洗面台１００が下降する状態を示す。水圧作動式バルブ３０を回転させて回転式バルブスプール３１０を矢印に示したように反時計回りに回転させる場合、開口部３１０１が回転して作動ライン６６及び排水ライン６４と連通する。この場合に、作動ライン６６と連結されたシリンダー９０の水圧が排水ライン６４側より大きいので、シリンダー９０内の水は水圧作動式バルブ３０を通じて排水ライン６４側に排出される。特に、シリンダー９０には洗面台本体１０の荷重が作用するので、作動ライン６６及び排水ライン６４側が疎通される場合、シリンダー９０内の水が排水ライン６４側に排出されながら洗面台１００が下降する。つまり、洗面台本体１０の自重を利用して洗面台１００を下降させることができる。
【００５４】
このように水圧ではなく自重を利用した洗面台１００の下降は、洗面台本体１０がベアリングを備えた可変型ブラケットによって支持されるので、円滑に行われることができる。つまり、可変型ブラケットのスライディングが効率的に行われるようにすることによって、洗面台本体１０を利用して洗面台１０を下降させることができる。
【００５５】
以上で、本発明を実施例を参照して説明したが、請求の範囲の概念及び範囲を逸脱しない限り、多様な修正及び変形が可能であるということが、本発明が属する技術分野に従事する者には容易に理解することができる。
【図面の簡単な説明】
【００５６】
【図１】本発明の一実施例による洗面台の側面図である。
【図２】本発明の一実施例によるブラケットの斜視図である。
【図３】本発明の一実施例による洗面台の水圧作動式バルブの断面図である。
【図４】本発明の一実施例による洗面台が停止した状態を示す概略的な図である。
【図５】本発明の一実施例による洗面台が上昇する状態を示す概略的な図である。
【図６】本発明の一実施例による洗面台が下降する状態を示す概略的な図である。
【符号の説明】
【００５７】
１０  洗面台本体
２０  可変型ブラケット
２１  シリンダー支持台
２２  受け台
２４  支持台
２５  移動台
２６  固定台
３０  水圧作動式バルブ
６２  給水ライン 
６４  排水ライン
６６  作動ライン
８０  給水バルブ
８２  上水道管
８４  排水トラップ
９０  シリンダー
１００  洗面台
２４１  ベアリング固定用ハウジング
２４５  ベアリング
３００  中空型調整筒
３１０  回転式バルブスプール
３２０  回転式バルブレバー
３３０  ハウジング
３４０  バルブ取っ手
３５０  バルブ本体
３６０  シート
３７０  下部カバー
３８０  中間カバー
３８１  スペーサ
３８３  ワッシャ
３８５  ナット
３９０  上部カバー
３１０１  開口部
３１０３  突出部
３２０３  弾性部材
３５０１  連結孔
【図１】
2006181336.tif 000003
【図２】
2006181336.tif 000004
【図３】
2006181336.tif 000005
【図４】
2006181336.tif 000006
【図５】
2006181336.tif 000007
【図６】
2006181336.tif 000008